(57)【要約】【課題】製造コストが安く、工期が短くして、耐久性に優れた状態にて螺旋案内路が管本体部内に強固に固定された螺旋案内路付き管及びその製造方法を提供する。【解決手段】直管状の管本体部１１の内周面に、軸芯部が空洞をなすように螺旋案内路１２が取り付けられた螺旋案内路付き管１であって、前記螺旋案内路１２として、前記管本体部１１との固定部１２１ａ，１２１ｃが設けられた芯材部１２１の少なくとも流水側面に、繊維強化樹脂層１２２が設けられたものが使用され、その固定部１２１ａ，１２１ｃが所定間隔毎に締結具１３，１３′にて前記管本体部１１に固定されている。【選択図】  図２
2004353829.tif 000002
【特許請求の範囲】
【請求項１】
直管状の管本体部の内周面に、軸芯部が空洞をなすように螺旋案内路が取り付けられた螺旋案内路付き管であって、前記螺旋案内路として、前記管本体部との固定部が設けられた芯材部の少なくとも流水側面に、繊維強化樹脂層が設けられたものが使用され、その固定部が所定間隔毎に締結具にて前記管本体部に固定されていることを特徴とする螺旋案内路付き管。
【請求項２】
直管状の管本体部の内周面に、軸芯部が空洞をなすように螺旋案内路が取り付けられた螺旋案内路付き管の製造方法であって、前記螺旋案内路として、前記管本体部との固定部が設けられた芯材部の少なくとも流水側面に、繊維強化樹脂層が設けられたものを使用し、その固定部を所定間隔毎に締結具にて前記管本体部に固定することを特徴とする螺旋案内路付き管の製造方法。
【発明の詳細な説明】
【０００１】
【発明の属する技術分野】
本発明は、自然流下式の垂直下水管路等に使用され、直管状の管本体部の内部に、軸芯部が空洞をなすように螺旋案内路が設けられた螺旋案内路付き管及びその製造方法に関するものである。
【０００２】
【従来の技術】
地表勾配が急な場所では、通常、適当な間隔をあけてマンホールを設置して、各マンホール間の管路に段差が形成された段差式の下水路が形成されている。しかし、このような段差式の下水路は、施工が容易ではなく、工期も長期にわたるために工事費がかさむという問題がある。
【０００３】
このため、このような段差式の下水路に替わって、下水管路を垂直に配置した垂直下水管路（ドロップシャフト）使用する方法が開発されている。
また、最近では、このような垂直下水管路として、例えば、縦管本体内に螺旋案内路を設けたものが提案されている（特許文献１参照）。
【０００４】
また、螺旋案内路付き管の製造方法としては、例えば、図６に示すように、製造のし易さから、流体流入側に延出する壁面部が外周縁全周にわたって設けられている断面Ｌ字状のＦＲＰ製の螺旋案内路ａの外周縁部を、ハンドレアップにてＳＭＣｂを積層することにより縦管本体ｃの内面に固定する方法が提案されている。
しかしながら、この方法では、螺旋案内路ａを形成するＦＲＰの原料である樹脂やガラス繊維が高価であり、しかも、ハンドレアップにてＳＭＣｂを積層するようにして螺旋案内路ａを管本体部ｃに固定する必要があるので、製品コストが非常に高く、工期が長くなるという問題点がある。
【０００５】
【特許文献１】
特開平８−４１９１５号公報
【０００６】
【発明が解決しようとする課題】
本願は上記の如き従来の問題点を解消し、製造コストが安く、工期が短くして、耐久性に優れた状態にて螺旋案内路が管本体部内に強固に固定された螺旋案内路付き管及びその製造方法を提供することを目的としてなされたものである。
【０００７】
【課題を解決するための手段】
本願の請求項１に係る発明は、直管状の管本体部の内周面に、軸芯部が空洞をなすように螺旋案内路が取り付けられた螺旋案内路付き管であって、前記螺旋案内路として、前記管本体部との固定部が設けられた芯材部の少なくとも流水側面に、繊維強化樹脂層が設けられたものが使用され、その固定部が所定間隔毎に締結具にて前記管本体部に固定されている螺旋案内路付き管である。
【０００８】
本願の請求項２に係る発明は、直管状の管本体部の内周面に、軸芯部が空洞をなすように螺旋案内路が取り付けられた螺旋案内路付き管の製造方法であって、前記螺旋案内路として、前記管本体部との固定部が設けられた芯材部の少なくとも流水側面に、繊維強化樹脂層が設けられたものを使用し、その固定部を所定間隔毎に締結具にて前記管本体部に固定する螺旋案内路付き管の製造方法である。
【０００９】
【作用】
本発明の螺旋案内路付き管は、前記螺旋案内路として、前記管本体部との固定部が設けられた芯材部の少なくとも流水側面に、繊維強化樹脂層が設けられたものが使用され、その固定部が所定間隔毎に締結具にて前記管本体部に固定されていることにより、螺旋案内路全体を繊維強化樹脂とする必要でないので安価であり、螺旋案内路を固定部を利用して管本体部内に簡単に取り付けることができ、螺旋案内路が芯材部にて補強され且つその流水側面に繊維強化樹脂層が設けられているので耐久性に優れている。
【００１０】
本発明の螺旋案内路付き管の製造方法は、前記螺旋案内路として、前記管本体部との固定部が設けられた芯材部の少なくとも流水側面に、繊維強化樹脂層が設けられたものを使用し、その固定部を所定間隔毎に締結具にて前記管本体部に固定することにより、螺旋案内路を管本体部内に簡単に取り付けることができ、安価で耐久性に優れた螺旋案内路付き管を工期短く製造することができる。
【００１１】
【発明の実施の形態】
以下、本発明の実施の形態を図面を参照して説明する。
図１は、本発明の螺旋案内路付き管及びその製造方法の実施の形態の一例を説明する断面図であり、図２はその要部断面図である。
図１に示すように、この螺旋案内路付き管１は、直管状の管本体部１１と螺旋案内路１２とからなる。
【００１２】
管本体部１１は、同一の内径を有し一定の肉厚の直管状をしている。
管本体部１１の材質としては、特に限定されるものではないが、例えば、硬質塩化ビニル樹脂、ポリエチレン、ポリプロピレン、ポリカーボネート等の熱可塑性樹脂、ステレンレス等の金属類、ＦＲＰ、ＦＲＰとモルタルとの積層体であるいわゆるＦＲＰＭや、セメント、鉄筋で補強されたコンクリート等が挙げられる。
【００１３】
図２に示すように、螺旋案内路１２は、芯材部１２１と繊維強化樹脂層１２２とからなる。
芯材部１２１は、螺旋滑り台状に形成された芯材本体部１２１ａの外周縁の上方及び下方に、それぞれ、周方向に湾曲する上固定部１２１ｂと下固定部１２１ｃが全周にわたって一体的に設けられたものからなる。上固定部１２１ｂ及び下固定部１２１ｃには、周方向の所定間隔毎に、締結具挿通孔が設けられていて、管本体部１１の対応する部分に設けられた締結具挿通孔との間に締結具１３，１３′を挿通して締結することにより、芯材部１２１を管本体部１１の内周面に固定されている。
芯材部１２１の材質としては、特に限定されるものではないが、例えば、鉄類、硬質発泡ウレタン樹脂、レジンコンクリート等が挙げられる。
【００１４】
繊維強化樹脂層１２２は、螺旋案内路１２の芯材部１２１を締結具１３，１３′にて管本体部１１の内周面に固定した後に、ＳＭＣを用いてハンドレアップ法にて積層後硬化させることにより成形した層であって、螺旋案内路１２の芯材部１２１の芯材本体部１２１ａの流水側面（上面）を含む全周囲と、上固定部１２１ｂの管本体部１１内に表出する部分並びの締結具１３の頭部と、下固定部１２１ｃの管本体部１１内に表出する部分並びに締結部１３′とを一体的に覆った状態となされている。
これにより、直管状の管本体部１１の内周面に、軸芯部が空洞をなすように螺旋案内路１２が取り付けられた螺旋案内路付き管１となされている。
【００１５】
次に、上記の螺旋案内路付き管１の製造方法を、同じ図１及び図２を参照して説明する。
まず、螺旋案内路１２を構成する芯材部１２１だけを管本体部１１内に挿入し、上固定部１２１ｂ及び下固定部１２１ｃの周方向の所定間隔毎に設けられた締結具挿通孔と、管本体部１１の対応する部分に設けられた締結具挿通孔との間に、順次、締結具１３，１３′を挿通し締結する作業を行う。これにより、管本体部１１の内周面に芯材部１２１を固定する。
【００１６】
次に、ＳＭＣを用いてハンドレアップ法にて、芯材部１２１の芯材本体部１２１ａの流水側面（上面）を含む全周囲と、上固定部１２１ｂの管本体部１１内に表出する部分並びの締結具１３の頭部と、下固定部１２１ｃの管本体部１１内に表出する部分並びに締結部１３′とを一体に覆った状態に積層した後硬化させることにより繊維強化樹脂層１２２を形成して、芯材部１２１の少なくとも流水側面に繊維強化樹脂層１２２が設けられた螺旋案内路１２の部分を完成させる。
これにより、直管状の管本体部１１の内周面に、軸芯部が空洞をなすように上記の螺旋案内路１２が取り付けられた螺旋案内路付き管１が製造される。
【００１７】
図３は、本発明の螺旋案内路付き管及びその製造方法の実施の形態の別の例を説明する要部断面図である。
図３に示すように、この螺旋案内路付き管２は、直管状の管本体部２１と螺旋案内路２２とからなる。
【００１８】
管本体部２１は、同一の内径を有し一定の肉厚の直管状をしている。管本体部２１の材質は、前記の管本体部１１と同じものが採用できる。
螺旋案内路２２は、螺旋滑り台状に形成された芯材部２２１と、その流水側面（上面）に積層された繊維強化樹脂層２２２と、芯材部２２１の外周縁側に周方向に沿って設けられた固定部２２３とからなる。芯材部２２１及び固定部２２３の材質は、前記の芯材部１２１と同じものが採用できる。
【００１９】
固定部２２３は、水平部２２３ａの外周縁の下方に周方向に湾曲する支持部２２３ｂが曲折するように設けられた断面Ｌ字状のものからなる。
支持部２２３は芯材部２２１の外周縁から下方に突出されている。支持部２２３には周方向の所定間隔毎に締結具挿通孔が設けられていて、管本体部２１の対応する部分に設けられた締結具挿通孔との間に締結具２３を挿通して締結することにより固定されている。
【００２０】
繊維強化樹脂層２２２は、芯材部２２１の流水面側（上面）に、ＳＭＣを用いてハンドレアップ法にて積層後硬化させることにより成形された層である。
繊維強化樹脂層２２２は、予め芯材部２２１の上面に積層した状態となし、固定部２２３付きの螺旋案内路２２を完成させておいて、その螺旋案内路２２が管本体部２１の内周面に固定されている。
これにより、直管状の管本体部２１の内周面に、軸芯部が空洞をなすように上記の螺旋案内路２２が取り付けられた螺旋案内路付き管２となされている。
【００２１】
なお、図４に示すように、固定部２２３の水平部が芯材部２２１の外周縁側に、その境界部が周方向に沿って相互に入り込むように埋設されていると、相互間の接合強度が大きくなるので好ましい。このようなものの成形方法としては、ウレタンＲＩＭ法、ＳＭＣ法、ＲＩＭ法等が挙げられる。
【００２２】
また、固定部２２３付きの芯材部２２１が管本体部２１内に固定された後に、ＳＭＣを用いてハンドレアップ法にて、芯材部２２１の流水側面（上面）に繊維強化樹脂層層を積層した後硬化されたものであっても構わない。
【００２３】
次に、上記の螺旋案内路付き管２の製造方法を、同じ図３を参照して説明する。
まず、固定部２２３付きの芯材部２２１の流水側面（上面）に繊維強化樹脂層２２２を積層した後硬化した状態となし、固定部２２３が設けられた状態の螺旋案内路２２を完成させる。
次に、その螺旋案内路２２を管本体部２１内に挿入し、固定部２２３の支持部２２３ｂの周方向の所定間隔毎に設けられた締結具挿通孔と、管本体部２１の対応する部分に設けられた締結具挿通孔との間に、順次、締結具２４を挿通し締結する作業を行うことにより、管本体部２１の内周面に螺旋案内路２２を固定する。
これにより、直管状の管本体部２１の内周面に、軸芯部が空洞をなすように上記の螺旋案内路２２が取り付けられた螺旋案内路付き管２が製造される。
【００２４】
図５は、本発明の螺旋案内路付き管及びその製造方法の実施の形態の更に別の例を説明する要部断面図である。
図５に示すように、この螺旋案内路付き管３は、直管状の管本体部３１と螺旋案内路３２とからなる。
管本体部３１は、同一の内径を有し一定の肉厚の直管状をしている。管本体部３１の材質は、前記の管本体部１１と同じものが採用できる。
【００２５】
螺旋案内路３２は、螺旋滑り台状に形成された芯材部３２１と、その流水側面（上面）を全周に積層された繊維強化樹脂層３２２と、芯材部３２１の外周縁から下方に曲折されるようにして設けられた固定部３２３とからなる。
固定部２２３は周方向に湾曲されており、繊維強化樹脂層３２２から下方に突出するように設けられている。固定部２２３には周方向の所定間隔毎に締結具挿通孔が設けられていて、管本体部３１の対応する部分に設けられた締結具挿通孔との間に締結具３３を挿通して締結することにより固定されている。
これにより、直管状の管本体部３１の内周面に、軸芯部が空洞をなすように螺旋案内路３２が取り付けられた螺旋案内路付き管３となされている。
【００２６】
次に、上記の螺旋案内路付き管３の製造方法を、同じ図４を参照して説明する。
まず、繊維強化樹脂層３２２が予め芯材部３２１の流水側面（上面）を含む全面に積層した状態となされ、固定部３２３が下方に突出した状態の螺旋案内路３２を完成させる。
次に、その螺旋案内路３２を管本体部３１内に挿入し、固定部３２３の周方向の所定間隔毎に設けられた締結具挿通孔と、管本体部３１の対応する部分に設けられた締結具挿通孔との間に、順次、締結具３３を挿通し締結する作業を行うことにより、管本体部３１の内周面に螺旋案内路３２を固定する。
これにより、直管状の管本体部３１の内周面に、軸芯部が空洞をなすように螺旋案内路３２が取り付けられた螺旋案内路付き管３が製造される。
【００２７】
【発明の効果】
本発明の螺旋案内路付き管は、上記のごとき構成とされているので、安価であり、螺旋案内路を管本体部内に簡単に取り付けることができ、耐久性に優れている。
【００２８】
本発明の螺旋案内路付き管の製造方法は、上記のごとき構成とされているので、螺旋案内路を管本体部内に簡単に取り付けることができ、安価で耐久性に優れた螺旋案内路付き管を工期短く製造することができる。
【図面の簡単な説明】
【図１】本発明の螺旋案内路付き管及びその製造方法の実施の形態の一例を説明する断面図である。
【図２】図１の要部断面図である。
【図３】本発明の螺旋案内路付き管の別の例を説明する要部断面図である。
【図４】図３に示す螺旋案内路付き管の要部を説明する模式図ある。
【図５】本発明の螺旋案内路付き管の更に別の例を説明する平面図の一部である。
【図６】従来例を説明する要部断面図である。
【符号の説明】
１，２，３  螺旋案内路付き管
１１，２１，３１  管本体部
１２，２２，３２  螺旋案内路
１２１，２２１，３２１  芯材部
１２２，２２２，３２２  繊維強化樹脂層
１３，２３，３３  締結具
【図１】
2004353829.tif 000003
【図２】
2004353829.tif 000004
【図３】
2004353829.tif 000005
【図４】
2004353829.tif 000006
【図５】
2004353829.tif 000007
【図６】
2004353829.tif 000008